(57)【要約】【課題】本発明は、断面Ｔ字型をなす長手Ｔ字型部材を複数個用いて内側に中空部を有する多角形とし、竿の曲り後の反発力を十分に有することを目的とする。【解決手段】本発明による多角竿は、全体形状が長手棒状をなし、その外周形状が断面多角形で形成された多角竿において、断面Ｔ字型をなす長手Ｔ字型部材(10)を少なくとも複数有して中空状をなす構成である。【選択図】図１
2010124709.tif 000002
【特許請求の範囲】
【請求項１】
全体形状が長手棒状をなし、その外周形状が断面多角形で形成された多角竿において、断面Ｔ字型をなす長手Ｔ字型部材(10)を少なくとも３個有して少なくとも３個の中空部(4)をなすことを特徴とする多角竿。
【請求項２】
前記各長手Ｔ字型部材(10)間には長手平板部材(2)が介装され、前記各長手Ｔ字型部材(10)の各外壁用平板状壁部(11)の両側の各外壁用側面(3)は前記長手平板部材(2)の両側の平板用側面(14)に当接し、前記各長手Ｔ字型部材(10)の中央に設けられ内方へ向けて突出する各突条(12)の内端(13)は互いに当接していることを特徴とする請求項１記載の多角竿。
【請求項３】
前記長手Ｔ字型部材(10)は４個よりなり、前記各長手Ｔ字型部材(10)の各外壁用平板状壁部(11)の両側の各外壁用側面(3)は互いに当接し、前記各長手Ｔ字型部材(10)の中央に設けられ内方へ向けて突出する各突条(12)の内端(13)は互いに当接していることを特徴とする請求項１記載の多角竿。
【請求項４】
前記各外壁用側面(3)は、テーパ面(12a)からなることを特徴とする請求項２又は３記載の多角竿。
【請求項５】
前記各外壁用側面(3)及び平板用側面(14)は、テーパ面(12a,14a)からなることを特徴とする請求項２記載の多角竿。
【請求項６】
前記各長手Ｔ字型部材(10)の各内端(13)は、山形突出部(14b)よりなることを特徴とする請求項１ないし５の何れかに記載の多角竿。
【発明の詳細な説明】
【技術分野】
【０００１】
本発明は、多角竿に関し、特に、断面Ｔ字型をなす長手Ｔ字型部材を少なくとも３個用いて内側に中空部を少なくとも３個有する多角形とし、いずれの方向に竿を曲げても曲り後の反発力を十分に有する構成とするための新規な改良に関する。
【背景技術】
【０００２】
従来、用いられていたこの種の多角竿としては、製作のみで、特許出願等は行われていないため、特許文献等は特に開示していないが、実際に、市販されている多角竿の構成を図８、図９及び図１０として挙げることができる。
すなわち、図８は中空六角竿１であり、この中空六角竿１は、長手状の平板部材で形成された６個の長手平板部材２で構成され、前記各長手平板部材２の両側に形成されたテーパ状の各外壁用側面３が互いに接着剤等で当接後に接続されている。
【０００３】
前記各長手平板部材２の内側には長手状の六角形をなす中空部４が形成され、前記中空六角竿１は、長手状に形成されていると共に、手前の竿元から竿先にかけて先細り状に形成されている。
【０００４】
また、図９は、従来の中実六角竿１Ａを示しており、この中実六角竿１Ａは、断面形状が三角形をなす６個の長手三角部材５よりなり、各長手三角部材５の各長手側面５ａが互いに当接し、接着剤等で接続することにより、外周面が断面で六角形をなすように中実状の六角柱状に形成される。
また、図１０の他の従来構成は、後述の非特許文献１に示されているように、断面Ｔ字型をなす長手Ｔ字型部材１０を２個と長手状の長手平板部材２を４個組み合わせ、その外周形状が横長の六角形をなし、前記各長手Ｔ字型部材１０は互いに対向して配設された扁平中空六角竿である。
また、前記各長手Ｔ字型部材１０に一体延設された各突条１２の内端１３が互いに当接して接着剤等で接続されることにより、一対の中空部４が形成されている。
【０００５】
【非特許文献１】「バンブーロッドのいま」渡渉舎、２００７年６月１１日発行、２１３頁
【発明の開示】
【発明が解決しようとする課題】
【０００６】
従来の多角竿は、以上のように構成されていたため、次のような課題が存在していた。
すなわち、図８で示される従来構成においては、六角竿自体が単純に筒状で形成されていたため、竿が曲がった時に、断面の中空部分が横につぶれて反発力が弱くなることがあり、永く使用することが困難であった。
また、図９で示される中実状の六角竿においては、内部に中空部分が存在しないため、竿自体の重量が重く、軽量化が困難であると共に、十分なしなりを得ることが困難であった。
また、前述の図１０で示される横長六角形の外周形状を持つ竿においては、２個のみの長手Ｔ字型部材を用いているため、各突条が一方向のみに直線配置となり、その弾性が曲がる方向によって変化するため、竿を好適に使用できる向きが一方向に限定されると云う欠点を有する上に、長手Ｔ字型部材の内側に突出する突条の内端同志を正確に当接させるために各部材を加工するための工程が長くなり、生産性が極めて低いと云う課題も存在していた。
【課題を解決するための手段】
【０００７】
本発明による多角竿は、全体形状が長手棒状をなし、その外周形状が断面多角形で形成された多角竿において、断面Ｔ字型をなす長手Ｔ字型部材を少なくとも３個有して少なくとも３個の中空部をなす構成であり、前記長手Ｔ字型部材は３個よりなり、各長手Ｔ字型部材間には長手平板部材が介装され、前記各長手Ｔ字型部材の各外壁用平板状壁部の両側の各外壁用側面は前記長手平板部材の両側の平板用側面に当接し、前記各長手Ｔ字型部材の中央に設けられ内方へ向けて突出する各突条の内端は互いに当接している構成であり、また、前記長手Ｔ字型部材は４個よりなり、前記各長手Ｔ字型部材の各外壁用平板状壁部の両側の各外壁用側面は互いに当接し、前記各長手Ｔ字型部材の中央に設けられ内方へ向けて突出する各突条の内端は互いに当接している構成であり、また、前記各外壁用側面は、テーパ面からなる構成であり、また、前記各外壁用側面及び平板用側面は、テーパ面からなる構成であり、また、前記各長手Ｔ字型部材の各内端は、山形突出部よりなる構成である。
【発明の効果】
【０００８】
本発明による多角竿は、以上のように構成されているため、次のような効果を得ることができる。
すなわち、全体形状が長手棒状をなし、その外周形状が断面多角形で形成された多角竿において、断面Ｔ字型をなす長手Ｔ字型部材を少なくとも３個有して少なくとも３個の中空部をなすことにより、中空状であるにも拘わらず、少なくとも３本の突条で支持されているため、いずれの方向へ曲げた場合でも高い弾性を維持し、しなり後の変形もなく、耐久性の高い竿を得ることができる。
また、前記長手Ｔ字型部材は３個よりなり、前記各長手Ｔ字型部材間には長手平板部材が介装され、前記各長手Ｔ字型部材の各外壁用平板状壁部の両側の各外壁用側面は前記長手平板部材の両側の平板用側面に当接し、前記各長手Ｔ字型部材の中央に設けられ内方へ向けて突出する各突条の内端は互いに当接していることにより、断面正六角形の中空状の竿を得ることができる。また、前記長手Ｔ字型部材は４個よりなり、前記各長手Ｔ字型部材の各外壁用平板状壁部の両側の各外壁用側面は互いに当接し、前記各長手Ｔ字型部材の中央に設けられ内方へ向けて突出する各突条の内端は互いに当接していることにより、断面四角形の中空状の竿を得ることができる。
また、前記各外壁用側面は、テーパ面からなることにより、各長手Ｔ字型部材の接続が容易となる。また、前記各外壁用側面及び平板用側面は、テーパ面からなることにより、各長手Ｔ字型部材と長手平板部材の接続が容易となる。また、前記各長手Ｔ字型部材の各内端は、山形突出部よりなることにより、各長手Ｔ字型部材の各突条の内端の接続が容易となる。
【発明を実施するための最良の形態】
【０００９】
本発明は、断面Ｔ型をなす長手Ｔ字型部材を少なくとも３個用いて内側に少なくとも３個の中空部を有する正多角形とし、いずれの方向へ曲げた場合でも竿の曲り後の反発力を十分に有する多角竿を提供することを目的とする。
【実施例】
【００１０】
以下、図面と共に本発明による多角竿の好適な実施の形態について説明する。
尚、従来例と同一又は同等部分には同一符号を用いて説明する。
図１において符号１で示されるものは中空正六角竿からなる多角竿であり、この多角竿１は、断面Ｔ字型をなす長手形状の少なくとも３個の長手Ｔ字型部材１０と、この長手Ｔ字型部材１０の両側に接続され長手平板状をなす長手平板部材２と、から構成されている。
【００１１】
前記各長手Ｔ字型部材１０は、平板状に形成された外壁用平板状壁部１１と、この外壁用平板状壁部１１の中央に設けられ内方へ向けて突出する突条１２と、から構成されている。
【００１２】
前記各長手Ｔ字型部材１０の外壁用平板状壁部１１の両側には、テーパ面１２ａからなる外壁用側面３が形成され、前記突条１２の内端１３は山形突出部１４ｂで構成されている。
【００１３】
前記長手平板部材２の両側には、テーパ面１４ａからなる平板用側面１４が形成されており、前記各長手平板部材２の両側の各平板用側面１４は、前記各外壁用平板状壁部１１の両側の各外壁用側面３に接着剤等で接続されることにより、中空正六角竿からなる多角竿１が形成されている。
前記各山形突出部１４ｂは、互いに接着剤等によって接続され、前記各長手Ｔ字型部材１０及び長手平板部材２の内側に３個の中空部４が形成されている。従って、前記各突条１２は、前記中空部４に対する支柱としての作用を有している。
【００１４】
図２は本発明による他の実施の形態を示す端面図であり、中空正四角竿からなる多角竿１が示されている。
図２においては、四個の長手Ｔ字型部材１０が、前記各外壁用側面３同志を互いに接着剤等を用いて接続させることによって断面正四角形をなす中空正四角竿からなる多角竿１が構成されている。
前記各長手Ｔ字型部材１０の各突条１２の内端１３の山形突出部１４ｂは互いに接着剤等で接続されていることにより、各長手Ｔ字型部材１０の内側には、四個の中空部４が形成されている。
【００１５】
次に、前述の多角竿１を構成する前記長手Ｔ字型部材１０及び長手平板部材２を製作する場合について説明する。
材料としては竹材を用い、図３で示されるように、まず、長手形状の竹材５０を、６０度の周知の２枚のアンギュラーカッター５１を用いたアンギュラーカッター装置６０で６０度の角度を有する大まかな三角柱に切り出す。この竹材５０を、一対の周知のサイドカッター５２、５３をスペーサー５４で挟み込んでなるサイドカッター装置５５で削ることにより、全体形状が三角柱をなす竹材５０が断面Ｔ型をなすＴ型柱５６に形成される。
【００１６】
次に、図５で示されるように、６０度の前記アンギュラーカッター５１の肩の部分を１２０度に切り欠いたもの、ないし、１２０度のアンギュラーカッター２枚を用いてなるアンギュラーカッター装置６０により、前記Ｔ型柱５６のテーパ面１２ａ及び内端１３を、６０度から１２０度に削る（図１５のドット部分６０ａを削る）ことにより、前述の長手Ｔ字型部材１０が形成される。
すなわち、１２０度の切り欠きを有する一対の６０度アンギュラーカッター５１を用いることにより、長手Ｔ字型部材１０の突条１２と外壁用平板状壁部１１を同時に仕上げ加工することができる。
尚、本発明による多角竿においては、少なくとも３個の長手Ｔ字型部材１０を用いて構成することができるが、この場合には、長手Ｔ字型部材１０の外壁用平板状壁部１１の片側又は両側を延設することによって独立した長手平板部材２を用いなくても図１の中空六角竿を形成することができる。また前記長手Ｔ字型部材１０の外壁用平板状壁部１１の中央に設けられ内方へ向けて突出する突条１２は通常壁状の構造物となるが、図６及び図７のように、この部分に適宜横穴１２Ｄや切り欠き１２Ｂを設けることにより、本発明の効果を損なわずにさらに軽量化を図ることも可能である。また、前述の図１及び図２の構成においては、各突条１２を組立てた形状が、三つ又状（スター型）及び十字型で形成されているため、竿がいずれの方向へ曲折した場合でも、竿の曲がり後の反発力を十分に得ることができるものである。
【図面の簡単な説明】
【００１７】
【図１】本発明による多角竿を示す断面を示す斜視図である。
【図２】図１の他の形態を示す断面を示す断面図である。
【図３】図１の多角竿の部品を加工する状態を示す工程図である。
【図４】図３で加工した竹材５０をＴ型柱に加工する状態を示す工程図である。
【図５】図４のＴ型柱をアンギュラー装置で加工し、長手Ｔ字型部材１０を得る状態を示す工程図である。
【図６】本発明による多角竿の突条の他の形態を示す斜視図である。
【図７】本発明による多角竿の突条の他の形態を示す斜視図である。
【図８】従来の中空六角竿の一部を示す斜視図である。
【図９】従来の中実六角竿の一部を示す斜視図である。
【図１０】従来の扁平中空六角竿の一部を示す斜視図である。
【符号の説明】
【００１８】
１    多角竿
２    長手平板部材
３    外壁用側面
４    中空部
１０    長手Ｔ字型部材
１１    外壁用平板状壁部
１２    突条
１２ａ    テーパ面
１２Ｂ    切り欠き
１２Ｄ    横穴
１３    内端
１４ｂ    山形突出部
１４ａ    テーパ面
５０    竹材
５１    アンギュラーカッター
５２、５３    サイドカッター
５４    スペーサー
５５    サイドカッター装置
５６    Ｔ型柱
６０    アンギュラーカッター装置
【図１】
2010124709.tif 000003
【図２】
2010124709.tif 000004
【図３】
2010124709.tif 000005
【図４】
2010124709.tif 000006
【図５】
2010124709.tif 000007
【図６】
2010124709.tif 000008
【図７】
2010124709.tif 000009
【図８】
2010124709.tif 000010
【図９】
2010124709.tif 000011
【図１０】
2010124709.tif 000012